【手続補正書】
【提出日】平成19年6月26日(2007.6.26)
【手続補正１】
【補正対象書類名】明細書
【補正対象項目名】全文
【補正方法】変更
【補正の内容】
【書類名】      明細書
【発明の名称】  自動出札機
【特許請求の範囲】
【請求項１】  自動券売機等の自動出札機の本体を駆動制御する制御器を、乗車券を生成して発行する発券ブロック等のメカブロック部を制御するマイクロコンピュータからなる第１制御部と、接客画面等のマンマシン部を制御するパーソナルコンピュータからなる第２制御部とにより構成したことを特徴とする自動出札機。
【請求項２】  前記第２制御部は、前記第１制御部に記憶されている所定のデータを用いて所定の演算処理を行うことを特徴とする請求項１に記載の自動出札機。
【発明の詳細な説明】
【０００１】
【発明の属する技術分野】
本発明は、自動券売機において乗車券を発行するためや自動精算機において精算券を発行するため等に用いられる自動出札機に関する。
【０００２】
【従来の技術】
自動出札機は、一般的にメカブロック部とマンマシン部とを有している。
【０００３】
機械的構成であるメカブロック部には、プリペイドカード等のカード類を処理するカードブロック、乗車券を生成して発行する発券ブロック、投入された紙幣を検銭し、必要に応じて釣銭を排出する紙幣ブロック、投入された硬貨を検銭し、必要に応じて釣銭を排出する硬貨ブロックが含まれる。そして、マンマシン部には、利用者（旅客）によって操作される口座釦等の釦群を表示するとともに、タッチパネルからなる接客画面及び係員によって操作されるタッチパネルからなる係員操作画面等が含まれる。これらのメカブロック部及びマンマシン部は、マイクロコンピュータ、いわゆるマイコンを中心に構成された制御器により統括的に駆動制御されるように構成されている。
【０００４】
自動出札機が自動定期券発行機等の他の自動出札機において用いられる場合もほぼ同様である。
【０００５】
【発明が解決しようとする課題】
しかしながら、上記従来の自動出札機は、メカブロック部やマンマシン部全体を駆動制御する制御器がマイコンにより構成されているため、処理能力の大きなマイコンを必要とする欠点があった。
【０００６】
また、自動出札機のマンマシン部は、自動出札機を採用する鉄道会社等の輸送会社により相違しており、これに柔軟に、かつ、効率よく対処するために、パーソナルコンピュータ（パソコン）で制御処理できるようにすることが考えられている。しかし、自動出札機全体の制御をパソコンで制御するには、処理速度の問題や電源断時の保障処理のための、多くの解決しなければならない問題があり、採用することができない実情にある。
【０００７】
そこで、本発明は、制御器の負荷を軽減でき、かつ、マンマシン部に柔軟に、かつ、効率よく対処することのできる自動出札機を提供することを目的としている。
【０００８】
【課題を解決するための手段】
本発明は、上記目的を達成するために、自動出札機を駆動制御する制御器を、乗車券を生成して発行する発券ブロック等のメカブロック部を制御するマイコンからなる第１制御部と、接客画面等のマンマシン部を制御するパソコンからなる第２制御部とにより構成したことを特徴としている。
また、前記第２制御部は、前記第１制御部に記憶されている所定のデータを用いて所定の演算処理を行うことを特徴としている。
【０００９】
【発明の実施の形態】
以下、本発明の実施の形態を図面に基づいて説明する。図１は、自動出札機を自動券売機に用いるときの制御器の構成を概略的に示すブロック図で、特に、制御器Ｃの機能を中心に示している。
【００１０】
制御器Ｃは、本発明のマイコンからなる第１制御部に当たるマイコン制御部１と、本発明のパソコンからなる第２制御部に当たるパソコン制御部１００とから構成されていて、これら両制御部１，１００は、通信エリアネットワーク（ＬＡＮ）の通信回線Ｌにより接続されている。すなわち、マイコン制御部１は、対パソコン通信処理部２を介して通信回線Ｌに接続されているとともに、パソコン制御部１００は、対マイコン通信処理部１０１を介して通信回線Ｌに接続されている。
【００１１】
マイコン制御部１は、プリペイドカード等のカード類を処理するためのカードブロック１０ａ、乗車券を生成して発行する発券ブロック１０ｂ、投入された紙幣を検銭し、必要に応じて釣銭を排出する紙幣ブロック１０ｃ、及び投入された硬貨を検銭し、必要に応じて釣銭を排出する硬貨ブロック１０ｄからなるメカブロック部１０に接続されていて、そのメカブロック部１０と交信するためのメカブロック通信処理部３を有している。
【００１２】
マイコン制御部１には、硬貨投入口のシャッタを開閉制御処理するような自動券売機のシーケンス処理を司どる券売機シーケンス処理部４と、自動券売機の売上の登算処理を行う売上登算処理部５とが含まれている。また、マイコン制御部１には、乗車券の運賃データや後述する接客画面の口座釦の表示データ等の接客部用のデータを記憶する運賃・接客都度データ記憶部６と、自動券売機の売上データを記憶するとともに、利用客一人毎の購入データ、すなわち、投入金額、乗車券の種別、釣銭額等の購入データを記憶する売上・購入データ記憶部７とが設けられている。
【００１３】
一方、パソコン制御部１００には、接客面に設けられているタッチパネルからなる、本発明のマンマシン部に相当する接客画面２００ａを制御する接客処理部１０１と、自動券売機の裏面に設けられている、本発明のマンマシン部に相当するタッチパネルからなる係員によって操作される係員操作画面１００ｂを制御する係員操作処理部１０２と、上位装置である駅制御装置（駅制）と交信するためのデータ通信処理部１０３とが設けられている。なお、データ通信処理部１０３は、上述の駅制以外に、例えば、鉄道会社の本社に設けられているホストコンピュータやインターネット等の他の上位装置と交信することもできるように構成されている。
【００１４】
マイコン制御部１は、従来の自動出札機におけるように、マンマシン部を制御する機能を有していないので、その分だけマイコン制御部１の負担を軽減することができる。なお、マンマシン部を制御する機能は、パソコン制御部１００に設けられている。
【００１５】
パソコン制御部１００に設けられている運賃・接客都度データ記憶部１０４は、パソコン制御部１００が立ち上げられたときに、マイコン制御部１の運賃・接客都度データ記憶部６に記憶されているデータをコピーして記憶し、その記憶されているデータが接客処理部１０１の制御用に用いられる。なお、この運賃・接客都度データ記憶部１０４のデータは、パソコン制御部１００の電源がＯＦＦにされると消失する記憶部から構成されている。このように、パソコン制御部１００自体は、データ書込部を有しない読取専用を基調に構成され、パソコン制御部１００で所定の演算処理に必要なデータは、マイコン制御部１に記憶されているデータが利用される。したがって、パソコン制御部１００は、データの保持を考慮する必要がないので、電源のＯＮ，ＯＦＦを自由に行うことができる。
【００１６】
図２は、電源投入時における制御器Ｃの伝送制御手順を示している。マイコン制御部１及びパソコン制御部１００の電源がＯＮにされると、メカブロック１０の電源がＯＮにされる。そして、パソコン制御部１００の運賃・接客都度データ記憶部１０４にマイコン制御部１の運賃・接客都度データ記憶部６に記憶されている運賃接客データがコピーされ、パソコン制御部１００の初期化が行われる。その後、稼動状態（発売可能状態）となり、その旨が接客面上部に設けられている表示部に表示され、また、硬貨投入口等のメカブロック１０のシャッタが開放される。
【００１７】
図３は、制御器Ｃの乗車券購入時の伝送制御手順を示す。先ず、接客画面２００ａにおける口座釦が利用者によって選択されると、その選択信号は、パソコン制御部１００を介してマイコン制御部１に入力される。そして、その選択された口座釦に対応した金銭（紙幣又は硬貨、あるいはカード類）が投入されると、その投入された金額が接客画面２００ａに表示される。
【００１８】
投入された金額が口座釦の金額（購入額）より大きいときは、選択された口座釦に対応した乗車券が発券処理され、必要に応じて釣銭が排出される。乗車券、釣銭の取出しにより一連の発行処理が終了となる。
【００１９】
図４は、運賃改定、いわゆる運改が行われたときの制御器Ｃの伝送制御手順を示している。先ず、運改に伴うデータが上位装置からダウンロードされると、そのデータは、パソコン制御部１００を介してマイコン制御部１の運賃・接客都度データ記憶部６に記憶される。なお、この運改データは、上位装置からのダウンロードによらずに、そのデータの記録されているプログラムカード（ＰＣ）から読取るようにしてもよい。
【００２０】
マイコン制御部１に記憶された運改データは、運賃改定日が到来すると、自動的に又は手動により前のデータと切換えられて使用される。
【００２１】
なお、上述の例では、自動出札機を自動券売機に用いたが、自動精算機等に用いてもよいことはもちろんである。
【００２２】
【発明の効果】
本発明は、自動出札機を駆動制御する制御器を、乗車券を生成して発行する発券ブロック等のメカブロック部を制御するマイコンからなる第１制御部と、接客画面等のマンマシン部を制御するパソコンからなる第２制御部とにより構成したので、マイコン制御部の負担を軽減することができるとともに、マンマシン部の処理を柔軟に、かつ、効率よく行うことができる。
また、第２制御部が第１制御部に記憶されている所定のデータを用いて所定の演算処理を行うようにしたときは、第２制御部の電源のＯＮ，ＯＦＦを自由に行うことができる。【図面の簡単な説明】
【図１】
本発明に係る自動出札機を自動券売機に用いたときの、制御器の概略構成を示すブロック図である。
【図２】
制御器の電源投入時の伝送制御手順である。
【図３】
制御器の乗車券購入時の伝送制御手順である。
【図４】
制御器の運改時の伝送制御手順である。
【符号の説明】
Ｃ  制御器
１  マイコン制御部（第１制御部）
１０  メカブロック
１００  パソコン制御部（第２制御部）
２００ａ  接客画面（マンマシン部）
２００ｂ  係員操作画面（マンマシン部）
【手続補正２】
【補正対象書類名】図面
【補正対象項目名】図１
【補正方法】変更
【補正の内容】
【図１】
2002024868.tif 000001